(57)【要約】【課題】  簡単な構成で、ユーザによる第１の記録媒体の第１の回収ボックスへの誤投入を認知して、ユーザに回収処理エラーを通知して、ユーザによる分別処理負担を軽減し、利便性に優れた分別回収処理を短時間に効率よく行うことである。【解決手段】  情報を書き込み可能な電子タグが付加されている第１の記録媒体を第１の回収ボックスで、情報を書き込み可能な電子タグが付加されていない第２の記録媒体を第２の回収ボックスで分別回収する記録媒体回収装置１において、無線ＴＡＧリーダ手段２により第１の回収ボックス内で前記第１の記録媒体に付加されている前記電子タグを読み取り、該読み取られる読取り結果に基づいて、ＣＰＵ３が分別エラー通知手段４を制御して前記第１の回収ボックスに対する分別状況を異なる態様で表示する構成を特徴とする。【選択図】  図２
2006099514.tif 000002
【特許請求の範囲】
【請求項１】
情報を書き込み可能な電子タグが付加されている第１の記録媒体と、前記電子タグが付加されていない第２の記録媒体とを分別回収する記録媒体回収装置であって、
第１の投入口から前記第１の記録媒体を回収するための第１の回収ボックスと、
第２の投入口から前記第２の記録媒体を回収するための第２の回収ボックスと、
前記第１の回収ボックス内で前記第１の記録媒体に付加されている前記電子タグを読み取る読取り手段と、
前記読取り手段により読み取られる読取り結果に基づいて、前記第１の回収ボックスに対する分別状況を異なる態様で表示する通知手段と、
を有することを特徴とする記録媒体回収装置。
【請求項２】
前記第１の回収ボックスに対する前記第１の記録媒体の投入有無、あるいは前記第２の回収ボックスに対する前記第２の記録媒体の投入有無を認識する認識手段と、
前記認識手段による前記第１または第２の記録媒体の投入有りを認識してから、所定時間前記読み取り手段による読取りを実行させる制御手段と、
を有することを特徴とする請求項１記載の記録媒体回収装置。
【請求項３】
前記読取り手段により読み取られる読取り結果に基づいて、前記第１の回収ボックスに対する分別状況がエラーか正常かを判定する判定手段を有し、
前記判定手段による判定結果に基づいて、前記第１の回収ボックスに対する分別回収状態がエラーの場合と、正常な場合とで異なる態様で分別状況を表示することを特徴とする請求項１記載の記録媒体回収装置。
【請求項４】
第１の投入口から情報を書き込み可能な電子タグが付加されている第１の記録媒体を回収するための第１の回収ボックスと、第２の投入口から前記電子タグが付加されていない第２の記録媒体を回収するための第２の回収ボックスとを備える記録媒体回収装置における記録媒体回収方法であって、
前記第１の回収ボックス内で前記第１の記録媒体に付加されている前記電子タグを読み取る読取りステップと、
前記読取りステップにより読み取られる読取り結果に基づいて、前記第１の回収ボックスに対する分別状況を異なる態様で表示する通知ステップと、
を有することを特徴とする記録媒体回収方法。
【請求項５】
前記第１の回収ボックスに対する第１の記録媒体の投入有無、あるいは前記第２の回収ボックスに対する第２の記録媒体の投入有無を認識する認識ステップと、
前記認識ステップによる前記第１または第２の記録媒体の投入有りを認識してから、所定時間前記読み取り手段による読取りを実行させる制御ステップと、
を有することを特徴とする請求項４記載の記録媒体回収方法。
【請求項６】
前記読取りステップにより読み取られる読取り結果に基づいて、前記第１の回収ボックスに対する分別状況がエラーか正常かを判定する判定ステップを有し、
前記判定ステップによる判定結果に基づいて、前記第１の回収ボックスに対する分別回収状態がエラーの場合と、正常な場合とで異なる態様で分別状況を表示することを特徴とする請求項４記載の記録媒体回収方法。
【請求項７】
請求項４〜６のいずれかに記載の記録媒体回収方法を実行させるためのプログラムを格納したことを特徴とするコンピュータが読み取り可能な記憶媒体。
【請求項８】
請求項４〜６のいずれかに記載の記録媒体回収方法を実行させることを特徴とするプログラム。
【発明の詳細な説明】
【技術分野】
【０００１】
本発明は、情報を書き込み可能な電子タグが付加されている第１の記録媒体と、前記電子タグが付加されていない通常の第２の記録媒体とを分別回収する記録媒体回収装置および記録媒体回収方法およびコンピュータが読み取り可能なプログラムを格納した記憶媒体およびプログラムに関するものである。
【背景技術】
【０００２】
従来、印刷物そのものに何らかの情報を付加する印刷システムとして、無線ＴＡＧ付き用紙を用いた方法（下記特許文献１）が提案されている。
【０００３】
例えばＲＦＩＣタグは、電波信号を送受信するためのアンテナ用コイル、変復調回路、ＣＰＵ、メモリ等を備えて、印刷装置本体側のリーダライタ装置から所望の情報を書き込んだり、書き込まれた情報を読み出したりできるように構成されている。そして、無線ＴＡＧ付き用紙を種々の手段で認識して印刷制御を行っている。
【特許文献１】特開２００２−３３７４２６号公報  また、文書の廃棄のための分別を目的として文書の光学的読み取りにより、廃棄文書がカラーか白黒か、機密かを判断する方法が提案されている（下記特許文献２）。
【特許文献２】特開２００４−５４６２７号公報
【発明の開示】
【発明が解決しようとする課題】
【０００４】
しかしながら、無線ＴＡＧ付き用紙に対する印刷物上の無線ＴＡＧにセキュリティ情報を付加した後、そのセキュリティ情報つきの文書をユーザが廃却する場合、従来の分別収集方法では、ユーザが用紙に印刷されている内容を見て判断しそれぞれ分別していたため、大量に分別収集する場合、ユーザの負荷が大きく、分別先を間違えたり、分別に多くの時間が掛かったりしていた効率が悪いという課題があった。
【０００５】
また、上記特許文献２のように文書を光学的に読み取らせる場合、用紙の裏表をユーザが意識して読み取らせなければならないなど、作業が煩雑であったり、裏で読み取らせることによる誤認識が発生するなどの問題があった。
【０００６】
本発明は、上記の問題点を解決するためになされたもので、本発明の目的は、情報を書き込み可能な電子タグが付加されている第１の記録媒体を第１の回収ボックスで、電子タグが付加されていない第２の記録媒体を第２の回収ボックスで分別回収する記録媒体回収装置において、第１の回収ボックス内で前記第１の記録媒体に付加されている前記電子タグを読み取り、該読み取られる読取り結果に基づいて、前記第１の回収ボックスに対する分別状況を異なる態様で表示することにより、簡単な構成で、ユーザによる第１の記録媒体の第１の回収ボックスへの誤投入を認知して、ユーザに回収処理エラーを通知して、ユーザによる分別処理負担を軽減し、利便性に優れた分別回収処理を短時間に効率よく行える記録媒体回収装置および記録媒体回収方法およびコンピュータが読み取り可能なプログラムを格納した記憶媒体およびプログラムを提供することである。
【課題を解決するための手段】
【０００７】
上記目的を達成する本発明の記録媒体回収装置は以下に示す構成を備える。
【０００８】
情報を書き込み可能な電子タグが付加されている第１の記録媒体と、前記電子タグが付加されていない第２の記録媒体とを分別回収する記録媒体回収装置であって、第１の投入口から前記第１の記録媒体を回収するための第１の回収ボックスと、第２の投入口から前記第２の記録媒体を回収するための第２の回収ボックスと、前記第１の回収ボックス内で前記第１の記録媒体に付加されている前記電子タグを読み取る読取り手段と、前記読取り手段により読み取られる読取り結果に基づいて、前記第１の回収ボックスに対する分別状況を異なる態様で表示する通知手段とを有することを特徴とする。
【０００９】
上記目的を達成する本発明の記録媒体回収方法は以下に示す構成を備える。
【００１０】
第１の投入口から情報を書き込み可能な電子タグが付加されている第１の記録媒体を回収するための第１の回収ボックスと、第２の投入口から前記電子タグが付加されていない第２の記録媒体を回収するための第２の回収ボックスとを備える記録媒体回収装置における記録媒体回収方法であって、前記第１の回収ボックス内で前記第１の記録媒体に付加されている前記電子タグを読み取る読取りステップと、前記読取りステップにより読み取られる読取り結果に基づいて、前記第１の回収ボックスに対する分別状況を異なる態様で表示する通知ステップとを有することを特徴とする。
【発明の効果】
【００１１】
本発明によれば簡単な構成で、ユーザによる第１の記録媒体の第１の回収ボックスへの誤投入を認知して、ユーザに回収処理エラーを通知して、ユーザによる分別処理負担を軽減し、利便性に優れた分別回収処理を短時間に効率よく行えという効果を奏する。
【発明を実施するための最良の形態】
【００１２】
次に本発明を実施するための最良の形態について図面を参照して説明する。
【００１３】
〔第１実施形態〕
＜システム構成の説明＞
図１は、本発明の第１実施形態を示す記録媒体回収装置の構成を説明する図である。
【００１４】
図１において、１は分別ボックス（分別ＢＯＸ）を備える記録媒体回収装置で、廃棄すべき印刷物を収容する収容部屋を、例えば２部屋備え（普通紙ＢＯＸ２００と、機密ＢＯＸ２０１）、廃棄すべき印刷物を投入するための投入口として、普通紙投入口１Ａと、機密文書投入口１Ｂとを備えている。３０１は普通紙である。
【００１５】
２は無線ＴＡＧリーダ手段で、普通紙ＢＯＸ２００側に配置され、分別ＢＯＸ１の通常用紙側に無線ＴＡＧ用紙３００が混入していないことを確認できるように、指向性もって、すなわち、通常用紙側に向け配置される。
【００１６】
図２は、図１に示した記録媒体回収装置１の制御構成を説明するブロック図である。
【００１７】
図２において、３はＣＰＵで、ＲＯＭ５に記憶される制御プログラムをＲＡＭ６にロードして実行することで、図１に示した普通紙ＢＯＸ２００に無線ＴＡＧ用紙３００が投入されたことを検知して、分別ボックス１における無線ＴＡＧ用紙３００の普通紙投入口１Ａへの誤廃棄状態を監視して、誤廃棄状況をユーザに通知制御する。
【００１８】
４は分別エラー通知手段で、ＣＰＵ３による誤廃棄通知制御に基づいて、ユーザに分別エラーを通知する。なお、通知手段としては、例えばＬＥＤ等の簡易の通知手段から、ＬＣＤパネル装置による表示としたり、音声出力手段、例えばスピーカなどの音で通知しても何でも良い。本実施形態では、ＬＥＤによる表示で誤破棄を通知する。
【００１９】
以下に、実際に普通紙と無線ＴＡＧ用紙との混在文書を分別収集する場合の分別ＢＯＸ１の誤廃棄通知処理動作を説明する。
【００２０】
図３は、本発明に係る記録媒体回収装置における第１のデータ処理手順の一例を示すフローチャートであり、図２に示したＣＰＵ３がＲＯＭ５に記憶される制御プログラムをＲＡＭ６上にロードして実行することで実現される。なお、（１）〜（７）は各ステップを示す。
【００２１】
ユーザは、分別する用紙を分別ＢＯＸ１の普通紙投入口１Ａ付近に持って近づくと、無線ＴＡＧリーダ手段２が通信を開始して（１）、該用紙は無線ＴＡＧ用紙である場合、該用紙と分別ＢＯＸ１の無線ＴＡＧリーダ手段２との間で通信が自動的に確立したかどうかを判断して（２）、確立したと判断した場合は、無線ＴＡＧリーダ手段２はＣＰＵ３に通信確立を通知する（３）。
【００２２】
そして、ＣＰＵ３は、該通信確立通知から、分別エラー通知手段４にエラー表示を指示する（４）。
【００２３】
そして、分別エラー通知手段４は、該指示によって、分別エラー表示を意味する図示しない赤色ＬＥＤを点灯または点滅表示させる（５）。
【００２４】
ユーザは、該エラーＬＥＤを確認し、その用紙を、機密文書投入口１Ｂに投入する。
【００２５】
一方、ステップ（２）で、通信が確立しないと判断した場合は、ユーザが普通紙を普通紙投入口１Ａに持ってきたと判断して、該用紙は普通紙なので無線ＴＡＧリーダ手段２との通信が確立しない。そして、無線ＴＡＧリーダ手段２はＣＰＵ３に対して、通信が確立していないことを通知する（６）。
【００２６】
次に、ＣＰＵ３は、通信不成立の通知から分別エラー通知手段４にエラー表示しないよう指示する（７）。分別エラー通知手段４は、エラー表示を意味しない青色ＬＥＤ（赤色ＬＥＤの消灯）表示を行い、処理を終了する。
【００２７】
これにより、普通紙を普通紙投入口１Ａに近づけたユーザは、そのまま普通紙投入口１Ａから当該用紙を投入する。
【００２８】
第１実施形態によれば、分別収集時にエラーを通知することで、ユーザは、所定の場所に用紙を翳すか、あるいは近づけるという動作を行うだけで、普通紙投入口１Ａまたは機密文書投入口１Ｂに投入すべきかを確認しながら、正しい廃棄口へ用紙を投入することができるため、従来の破棄方法に比べて、ユーザ自身による分別負荷が減り、分別間違いをなくし、分別に要する時間を軽減することができる。
【００２９】
〔第２実施形態〕
上記実施形態では、回収ボックスに用紙の投入状況を判別することなく、用紙を分別エラー表示処理を実行する場合について説明したが、回収ボックスに用紙の投入状況を認知して、所定時間だけ用紙との読取りを実行することで、用紙読取り手段等への節電を図りながら、さらに、多様な分別エラーに柔軟に適応できるように構成してもよい。以下、その実施形態について説明する。
【００３０】
図４は、本発明の第２実施形態を示す記録媒体回収装置の構成を説明する図であり、図１と同一のものには同一の符号を付してある。
【００３１】
図４において、５は投入認識センサで、投入口（普通紙投入口１Ａまたは機密文書投入口１Ｂ）から用紙の投入があると、用紙を認識し、無線ＴＡＧリーダ手段２で、用紙の無線ＴＡＧと無線ＴＡＧリーダ手段２とが通信可能な時間の通電を確保するためのものである。用紙の投入の有無を検知する機構はそれぞれの口ごとに設けるものとする。
【００３２】
以下、無線ＴＡＧ用紙である機密文書と普通紙とを混在している文書を分別する場合の第２実施形態である分別ＢＯＸ１１の動作を説明する。
【００３３】
本実施形態では、用紙破棄動作パターンは、以下の４つとなる。
【００３４】
（１）普通紙投入口１Ａから普通紙を投入、（２）機密文書投入口１Ｂから普通紙を投入、（３）普通紙投入口１ＡからＴＡＧ用紙を投入、（４）機密文書投入口１ＢからＴＡＧ用紙を投入である。以下、それぞれの場合に分けて説明する。
【００３５】
図５は、本発明に係る記録媒体回収装置における第２のデータ処理手順の一例を示すフローチャートであり、図２に示したＣＰＵ３がＲＯＭ５に記憶される制御プログラムをＲＡＭ６上にロードして実行することで実現される。なお、（１）〜（１３）は各ステップを示す。
【００３６】
〔第１の投入処理〕
まず、普通紙投入口１Ａから普通紙３０１を投入（正常な廃棄）の場合で、投入認識センサ５が、用紙の投入を認識したか否かを判断して（１）、普通紙投入口であると判断したした場合は、ＣＰＵ３は、投入認識センサ５からの用紙の投入通知に対して、無線ＴＡＧリーダ手段２の電源ＯＮを所定時間行い（２）、無線ＴＡＧリード動作を行わせる。そして、無線ＴＡＧリーダ手段２は、電源ＯＮとＣＰＵ３からの命令に基づいて、無線ＴＡＧリードを行う（３）。
【００３７】
そして、無線ＴＡＧリーダ手段２が無線ＴＡＧ通信の確立ができたか否かを確認する（４）。ここでは、投入された用紙が普通紙であるため無線ＴＡＧ通信の確立ができない。
【００３８】
次に、ＣＰＵ３は、あらかじめ設定された時間だけ無線ＴＡＧリーダ２の電源をＯＮにして、無線ＴＡＧリード動作をさせ、リードができなければ、通信不成立とし、投入された用紙を普通紙と判定する（５）。
【００３９】
そして、投入口も普通紙で、用紙も普通紙であるためＣＰＵ３は、分別エラー通知手段４にエラー指示を出すことなく、処理を終了する。なお、ここで、正常終了表示をしてもしなくても、エラーさえ出なければ良いといえるが、ここでは、正常終了表示を行ってもよい。そして、ユーザは正常終了表示を確認し、次の用紙の投入を行う。
【００４０】
〔第２の投入処理〕
一方、上記（２）の廃棄の場合、すなわち、機密文書投入口１Ｂから普通紙を投入した場合を説明する。
【００４１】
ユーザは、分別ＢＯＸ１の機密文書投入口１Ｂから普通紙を投入すると、投入認識センサ５で、投入口が機密文書投入口１Ｂであることを認識し、投入認識センサ５からＣＰＵ３へ投入口が機密文書投入口１Ｂであることを通知する。
【００４２】
次に、ＣＰＵ３は、該投入口の情報が通知されると処理を開始して、投入口が普通紙投入口１Ａであるか否かを判断して（１）、投入口が普通紙投入口１Ａでないと判断した場合には、用紙の投入通知に対して、無線ＴＡＧリーダ手段２の電源ＯＮを行い（８）、無線ＴＡＧリード動作を行わせる（９）。そして、無線ＴＡＧリーダ手段２は、電源ＯＮとＣＰＵ３からの命令に基づいて、無線ＴＡＧリードを行う（９）。
【００４３】
そして、ＣＰＵ３は、あらかじめ設定された時間だけ無線ＴＡＧリーダ手段２が無線ＴＡＧをリードできたか否かを判断する（１０）。ここでは、投入された用紙が普通紙であるため無線ＴＡＧ通信の確立ができないと判断される。
【００４４】
次に、リードできないと判断した場合は、通信不成立とし、投入された用紙を普通紙と判定する（１１）。
【００４５】
そして、ＣＰＵ３は、投入口が機密文書投入口１Ｂで、用紙が普通紙であることから、エラーであることを判定し、分別エラー通知手段４にエラー表示を指示して、分別エラー通知手段４は、該指示により、ＬＥＤをエラー表示して（１２）、本処理を終了する
なお、ユーザは該エラー表示を見て、投入用紙を普通紙投入口に入れなおすことで、正しい分別ができる。
【００４６】
〔第３の投入処理〕
続いて、上記（３）の場合、すなわち、普通紙投入口１ＡからＴＡＧ用紙３００を投入（問題のある廃棄）した場合を説明する。
【００４７】
ユーザは、分別ＢＯＸ１の普通紙投入口からＴＡＧ用紙を投入すると、投入認識センサ５で、投入口が普通紙投入口１Ａであることを認識し、投入認識センサ５からＣＰＵ３へ投入口が機密文書であることと用紙が投入されたこととを通知する。
【００４８】
この通知を受けると、ＣＰＵ３は本処理を開始して、投入口を判定し（１）、普通紙投入口１Ａと判定し、ＣＰＵ３は、用紙の投入通知に対して、無線ＴＡＧリーダ手段２の電源ONを行い（２）、無線ＴＡＧリード動作を行わせる。
【００４９】
そして、無線ＴＡＧリーダ手段２は、電源ＯＮとＣＰＵ３からの命令に基づいて、無線ＴＡＧリードを行うと（３）、投入された用紙がＴＡＧ用紙３００であるため無線ＴＡＧリードができ、リードできることをＣＰＵ３に通知する。
【００５０】
そして、ＣＰＵ３は、該無線ＴＡＧリード動作ができたか否か（通信リードＯＫ）を判定して（４）、この場合はリードできるので通信成立と判定し、投入された用紙をＴＡＧ用紙と判定する（６）。
【００５１】
次に、ＣＰＵ３は、投入口が普通紙投入口１Ａで、用紙がＴＡＧ用紙３００であることから、用紙投入エラーであると判定し、分別エラー通知手段４にエラー表示を指示して、分別エラー通知手段４は、該指示により、ＬＥＤをエラー表示して（７）、本処理を終了する。
【００５２】
これにより、ユーザは該エラー表示を見て、投入用紙を機密文書投入口に入れなおすことで、正しい分別ができる。
【００５３】
〔第４の投入処理〕
最後に、続いて、上記（４）の場合、すなわち機密文書投入口１ＢからＴＡＧ用紙３００を投入（正常な廃棄）した場合を説明する。
【００５４】
ユーザが分別ＢＯＸ１の機密文書投入口１ＢからＴＡＧ用紙３００を投入すると、投入認識センサ５で、投入口が機密文書投入口であることを認識し、投入認識センサ５からＣＰＵ３へ投入口が機密文書であることと用紙が投入されたこととを通知する。
【００５５】
そして、ＣＰＵ３は用紙の投入通知が行われると、本処理を開始して、該通知により投入口が普通紙口であるか否かを判断して（１）、この場合は、機密文書投入口１Ｂであるから、ＮＯと判定した後、無線ＴＡＧリーダ手段２の電源ONを行い（８）、無線ＴＡＧリード動作を行わせる（９）。
【００５６】
そして、無線ＴＡＧリーダ手段２は、電源ＯＮとＣＰＵ３からの命令に基づいて、無線ＴＡＧリードを行う。そして、無線ＴＡＧリーダ手段２が無線ＴＡＧリードがＯＫかどうかを判断して、この場合は、投入された用紙がＴＡＧ用紙３００であるため無線ＴＡＧリードができ、リードできることをＣＰＵ３に通知する。
【００５７】
次に、ＣＰＵ３は、該無線ＴＡＧリード動作ができたかどうかを判断して（１０）、リードできたと判断した場合は、通信成立とし、投入された用紙をＴＡＧ用紙と判定する（１３）。
【００５８】
次に、ＣＰＵ３は、投入口が機密文書投入口１Ｂで、用紙がＴＡＧ用紙３００であることから、分別エラー通知手段４にエラー指示を出すことなく、本処理を終了する。
【００５９】
なお、ここで、正常終了表示をしてもしなくても、エラーさえ出なければ良いといえるが、正常終了表示を行ってもよい。そして、ユーザは正常終了表示を確認し、次の用紙の投入を行う。
【００６０】
上記実施形態によれば、エラー通知手段の表示により、ユーザに分別の正誤を知らせることができ、ユーザの分別負荷を減らし、分別間違いをなくしたり、分別時間の軽減を図ったりすることができる。
【００６１】
以下、図６に示すメモリマップを参照して本発明に係る記録媒体回収装置で読み取り可能なデータ処理プログラムの構成について説明する。
【００６２】
図６は、本発明に係る記録媒体回収装置で読み取り可能な各種データ処理プログラムを格納する記憶媒体のメモリマップを説明する図である。
【００６３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００６４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００６５】
本実施形態における図３，図５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００６６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００６７】
この場合、記憶媒体から読み出されたプログラムコード自体が本発明の新規な機能を実現することになり、そのプログラムコードを記憶した記憶媒体は本発明を構成することになる。
【００６８】
従って、プログラムの機能を有していれば、オブジェクトコード、インタプリタにより実行されるプログラム、ＯＳに供給するスクリプトデータ等、プログラムの形態を問わない。
【００６９】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００７０】
この場合、記憶媒体から読出されたプログラムコード自体が前述した実施形態の機能を実現することになり、そのプログラムコードを記憶した記憶媒体は本発明を構成することになる。
【００７１】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００７２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００７３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７５】
本発明は上記実施形態に限定されるものではなく、本発明の趣旨に基づき種々の変形（各実施形態の有機的な組合せを含む）が可能であり、それらを本発明の範囲から排除するものではない。
【００７６】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜８について説明する。
【００７７】
〔実施態様１〕
情報を書き込み可能な電子タグが付加されている第１の記録媒体と、前記電子タグが付加されていない第２の記録媒体とを分別回収する記録媒体回収装置であって、第１の投入口から第１の用紙を回収するための第１の回収ボックス（図１に示す普通紙ボックス２００）と、第２の投入口から第２の記録媒体を回収するための第２の回収ボックス（図１に示す機密ボックス２０１）と、前記第１の回収ボックス内で前記第１の記録媒体に付加されている前記電子タグを読み取る読取り手段（図２に示す無線ＴＡＧリーダ手段２）と、前記読取り手段により読み取られる読取り結果に基づいて、前記第１の回収ボックスに対する分別状況を異なる態様で表示する通知手段（図２に示す分別エラー通知手段）とを有することを特徴とする記録媒体回収装置。
【００７８】
これにより、簡単な構成で、ユーザによる第１の用紙の第１の回収ボックスへの誤投入を認知して、ユーザに回収処理エラーを通知して、ユーザによる分別処理負担を軽減し、利便性に優れた分別回収処理を短時間に効率よく行える。
【００７９】
〔実施態様２〕
前記第１の回収ボックスに対する第１の記録媒体の投入有無、あるいは前記第２の回収ボックスに対する第２の記録媒体の投入有無を認識する認識手段（図４に示す投入認識センサ５）と、前記認識手段による前記第１または第２の記録媒体の投入有りを認識してから、所定時間前記読み取り手段による読取りを実行させる制御手段（図４に示すＣＰＵ３であって、図５に示すステップ（１）〜（１３））とを有することを特徴とする実施態様１記載の記録媒体回収装置。
【００８０】
これにより、簡単な構成で、読取り手段に対する用紙読取り処理負担を強いることなく、ユーザによる第１の用紙の第１の回収ボックスへの誤投入を所定時間内に認知して、ユーザに回収処理エラーを通知して、ユーザによる分別処理負担を軽減し、利便性に優れた分別回収処理を短時間に効率よく行える。
【００８１】
〔実施態様３〕
前記読取り手段により読み取られる読取り結果に基づいて、前記第１の回収ボックスに対する分別状況がエラーか正常かを判定する判定手段（図２に示すＣＰＵ３による図３に示すステップ（２））を有し、前記判定手段による判定結果に基づいて、前記第１の回収ボックスに対する分別回収状態がエラーの場合と、正常な場合とで異なる態様で分別状況を表示する（図２示すＣＰＵ３による図３に示すステップ（４）、（７））ことを特徴とする実施態様１記載の記録媒体回収装置。
【００８２】
これにより、回収ボックスに投入した用紙の分別エラー状況をユーザに容易に識別認知させることができる。
【００８３】
〔実施態様４〕
第１の投入口から情報を書き込み可能な電子タグが付加されている第１の記録媒体を回収するための第１の回収ボックスと、第２の投入口から前記電子タグが付加されていない第２の記録媒体を回収するための第２の回収ボックスとを備える記録媒体回収装置における記録媒体回収方法であって、前記第１の回収ボックス内で前記第１の記録媒体に付加されている前記電子タグを読み取る読取りステップ（図３に示すステップ（１）、図５に示すステップ（３）、（９））と、前記読取りステップにより読み取られる読取り結果に基づいて、前記第１の回収ボックスに対する分別状況を異なる態様で表示する通知ステップ（図３に示すステップ（４）、（７）、または図５に示すステップ（５）〜（７）、（１１）〜（１３））を有することを特徴とする記録媒体回収方法。
【００８４】
これにより、実施態様１と同等の効果が期待できる。
【００８５】
〔実施態様５〕
前記第１の回収ボックスに対する第１の記録媒体の投入有無、あるいは前記第２の回収ボックスに対する第２の記録媒体の投入有無を認識する認識ステップ（図５に示すステップ（１））と、前記認識ステップによる前記第１または第２の記録媒体の投入有りを認識してから、所定時間前記読み取り手段による読取りを実行させる制御ステップ（図５に示すステップ（３）、（９））とを有することを特徴とする実施態様４記載の記録媒体回収方法。
【００８６】
これにより、実施態様２と同等の効果が期待できる。
【００８７】
〔実施態様６〕
前記読取りステップにより読み取られる読取り結果に基づいて、前記第１の回収ボックスに対する分別状況がエラーか正常かを判定する判定ステップ（図３に示すステップ（２））を有し、前記判定ステップによる判定結果に基づいて、前記第１の回収ボックスに対する分別回収状態がエラーの場合と、正常な場合とで異なる態様で分別状況を表示する（図２示すＣＰＵ３による図３に示すステップ（４）、（７））ことを特徴とする実施態様４記載の記録媒体回収方法。
【００８８】
これにより、実施態様３と同等の効果が期待できる。
【００８９】
〔実施態様７〕
実施態様４〜６のいずれかに記載の記録媒体回収方法を実行させるためのプログラムを格納したことを特徴とするコンピュータが読み取り可能な記憶媒体。
【００９０】
これにより、実施態様４〜６と同等の効果が期待できる。
【００９１】
〔実施態様８〕
実施態様４〜６のいずれかに記載の記録媒体回収方法を実行させることを特徴とするプログラム。
【００９２】
これにより、実施態様４〜６と同等の効果が期待できる。
【図面の簡単な説明】
【００９３】
【図１】本発明の第１実施形態を示す記録媒体回収装置の構成を説明する図である。
【図２】図１に示した記録媒体回収装置の制御構成を説明するブロック図である。
【図３】本発明に係る記録媒体回収装置における第１のデータ処理手順の一例を示すフローチャートである。
【図４】本発明の第２実施形態を示す記録媒体回収装置の制御構成を説明するブロック図である。
【図５】本発明に係る記録媒体回収装置における第２のデータ処理手順の一例を示すフローチャートである。
【図６】本発明に係る記録媒体回収装置で読み取り可能な各種データ処理プログラムを格納する記憶媒体のメモリマップを説明する図である。
【符号の説明】
【００９４】
１  記録媒体回収装置
１Ａ  普通紙投入口
１Ｂ  機密文書投入口
２  無線ＴＡＧリーダ手段
３  ＣＰＵ
４  分別エラー通知手段
５  ＲＯＭ
６  ＲＡＭ
【図１】
2006099514.tif 000003
【図２】
2006099514.tif 000004
【図３】
2006099514.tif 000005
【図４】
2006099514.tif 000006
【図５】
2006099514.tif 000007
【図６】
2006099514.tif 000008